(57)【要約】【課題】設定されている撮像モードに応じた操作を容易に行う。【解決手段】撮像装置は、表示制御部および制御部を具備する。表示制御部は、撮像部により生成された画像を表示部に表示させる。制御部は、ユーザが手動でフォーカス合わせを行うマニュアルフォーカスモードにおいて特定操作が受け付けられた場合には、その画像における所定領域を拡大表示させるための制御を行う。また、制御部は、フォーカス合わせを自動で行うオートフォーカスモードにおいて特定操作が受け付けられた場合には、オートフォーカス制御を実行させるための制御を行う。【選択図】図３
2013247541.tif 000002
【特許請求の範囲】
【請求項１】
撮像部により生成された画像を表示部に表示させる表示制御部と、
ユーザが手動でフォーカス合わせを行うマニュアルフォーカスモードにおいて特定操作が受け付けられた場合には前記画像における所定領域を拡大表示させ、フォーカス合わせを自動で行うオートフォーカスモードにおいて前記特定操作が受け付けられた場合にはオートフォーカス制御を実行させるための制御を行う制御部と
を具備する撮像装置。
【請求項２】
前記特定操作は、同一の操作部材を用いて行われる請求項１記載の撮像装置。
【請求項３】
前記操作部材は、シャッターボタンであり、
前記特定操作は、前記シャッターボタンの半押し操作である
請求項２記載の撮像装置。
【請求項４】
前記制御部は、前記マニュアルフォーカスモードにおいて前記シャッターボタンの全押し操作が受け付けられた場合には前記所定領域を拡大表示させるとともに当該全押し操作のタイミングで前記撮像部により生成された画像を記録媒体に記録させ、当該画像の記録後に前記シャッターボタンの半押し操作が受け付けられている間、当該拡大表示を継続して行う請求項３記載の撮像装置。
【請求項５】
前記操作部材は、シャッターボタンであり、
前記特定操作は、前記シャッターボタンの全押し操作であり、
前記制御部は、前記マニュアルフォーカスモードにおいて前記シャッターボタンの全押し操作が受け付けられた場合には前記所定領域を拡大表示させ、当該拡大表示後に前記シャッターボタンの全押し操作が再度受け付けられた場合には当該全押し操作のタイミングで前記撮像部により生成された画像を記録媒体に記録させるための制御を行う
請求項２記載の撮像装置。
【請求項６】
前記制御部は、前記所定領域を拡大表示させた後に前記特定操作の受け付けが無くなった場合には、当該拡大表示を解除して元の前記画像を前記表示部に表示させるための制御を行う請求項１記載の撮像装置。
【請求項７】
前記撮像装置は、交換レンズを装着可能な撮像装置であり、
前記交換レンズとしてマニュアルフォーカスレンズが装着されている場合には、前記マニュアルフォーカスモードが設定され、
前記交換レンズとしてオートフォーカスレンズが装着されている場合には、前記オートフォーカスモードが設定される
請求項１記載の撮像装置。
【請求項８】
撮像部により生成された画像を表示部に表示させる表示手順と、
ユーザが手動でフォーカス合わせを行うマニュアルフォーカスモードにおいて特定操作が受け付けられた場合には前記画像における所定領域を拡大表示させ、フォーカス合わせを自動で行うオートフォーカスモードにおいて前記特定操作が受け付けられた場合にはオートフォーカス制御を実行させる制御手順と
を具備する撮像装置の制御方法。
【請求項９】
撮像部により生成された画像を表示部に表示させる表示手順と、
ユーザが手動でフォーカス合わせを行うマニュアルフォーカスモードにおいて特定操作が受け付けられた場合には前記画像における所定領域を拡大表示させ、フォーカス合わせを自動で行うオートフォーカスモードにおいて前記特定操作が受け付けられた場合にはオートフォーカス制御を実行させる制御手順と
をコンピュータに実行させるプログラム。
【発明の詳細な説明】
【技術分野】
【０００１】
本技術は、撮像装置に関する。詳しくは、撮像動作により生成された画像を表示させる撮像装置およびその制御方法ならびに当該方法をコンピュータに実行させるプログラムに関する。
【背景技術】
【０００２】
近年、人物や植物等の被写体を撮像して画像データを生成し、この生成された画像データを画像コンテンツ（画像ファイル）として記録するデジタルスチルカメラ、デジタルビデオカメラ（例えば、カメラ一体型レコーダ）等の撮像装置が普及している。また、例えば、撮像動作により生成された画像を表示部に表示させることにより、記録対象となる画像データを確認しながら撮像動作を行うことが可能な撮像装置が提案されている。
【０００３】
例えば、表示部に表示されている画像上にフォーカスを合わせるエリアを設定し、このエリアに含まれる被写体に適切にフォーカスを合わせることができる撮像装置が提案されている（例えば、特許文献１参照。）。
【先行技術文献】
【特許文献】
【０００４】
【特許文献１】特開２００６−３０３７０号公報
【発明の概要】
【発明が解決しようとする課題】
【０００５】
上述の従来技術では、オートフォーカスモードにおいてシャッターボタンの半押し操作が行われた場合には、画像上に設定されているエリアに含まれる被写体に自動でフォーカスを合わせることができる。
【０００６】
ここで、ユーザが手動でフォーカスを合わせるマニュアルフォーカスモードと、オートフォーカスモードとの何れかを設定することが可能な撮像装置が存在する。この撮像装置においてマニュアルフォーカスモードが設定されている場合には、ユーザは、表示部に表示されている画像（いわゆる、ライブビュー画像）を見ながらフォーカス合わせを行うことが想定される。このようにマニュアルフォーカスモードが設定されている場合でも、ユーザが適切な操作を容易に行うことが重要である。
【０００７】
本技術はこのような状況に鑑みて生み出されたものであり、設定されている撮像モードに応じた操作を容易に行うことを目的とする。
【課題を解決するための手段】
【０００８】
本技術は、上述の問題点を解消するためになされたものであり、その第１の側面は、撮像部により生成された画像を表示部に表示させる表示制御部と、ユーザが手動でフォーカス合わせを行うマニュアルフォーカスモードにおいて特定操作が受け付けられた場合には上記画像における所定領域を拡大表示させ、フォーカス合わせを自動で行うオートフォーカスモードにおいて上記特定操作が受け付けられた場合にはオートフォーカス制御を実行させるための制御を行う制御部とを具備する撮像装置およびその制御方法ならびに当該方法をコンピュータに実行させるプログラムである。これにより、マニュアルフォーカスモードにおいて特定操作が受け付けられた場合には、画像における所定領域を拡大表示させ、オートフォーカスモードにおいて特定操作が受け付けられた場合には、オートフォーカス制御を実行させるという作用をもたらす。
【０００９】
また、この第１の側面において、上記特定操作を、同一の操作部材を用いて行うようにしてもよい。これにより、同一の操作部材を用いて特定操作を行うという作用をもたらす。
【００１０】
また、この第１の側面において、上記操作部材を、シャッターボタンとし、上記特定操作を、上記シャッターボタンの半押し操作とするようにしてもよい。これにより、同一の操作部材としてシャッターボタンを用いて、特定操作としてシャッターボタンの半押し操作を用いるという作用をもたらす。
【００１１】
また、この第１の側面において、上記制御部は、上記マニュアルフォーカスモードにおいて上記シャッターボタンの全押し操作が受け付けられた場合には上記所定領域を拡大表示させるとともに当該全押し操作のタイミングで上記撮像部により生成された画像を記録媒体に記録させ、当該画像の記録後に上記シャッターボタンの半押し操作が受け付けられている間、当該拡大表示を継続して行うようにしてもよい。これにより、マニュアルフォーカスモードにおいてシャッターボタンの全押し操作が受け付けられた場合には、所定領域を拡大表示させるとともに、その全押し操作のタイミングで生成された画像を記録媒体に記録させ、その画像の記録後にシャッターボタンの半押し操作が受け付けられている間、その拡大表示を継続して行うという作用をもたらす。
【００１２】
また、この第１の側面において、上記操作部材を、シャッターボタンとし、特定操作を、シャッターボタンの全押し操作とし、上記制御部は、上記マニュアルフォーカスモードにおいて上記シャッターボタンの全押し操作が受け付けられた場合には上記所定領域を拡大表示させ、当該拡大表示後に上記シャッターボタンの全押し操作が再度受け付けられた場合には当該全押し操作のタイミングで上記撮像部により生成された画像を記録媒体に記録させるための制御を行うようにしてもよい。これにより、マニュアルフォーカスモードにおいてシャッターボタンの全押し操作が受け付けられた場合には、所定領域を拡大表示させ、その拡大表示後にシャッターボタンの全押し操作が再度受け付けられた場合には、その全押し操作のタイミングで生成された画像を記録媒体に記録させるという作用をもたらす。
【００１３】
また、この第１の側面において、上記制御部は、上記所定領域を拡大表示させた後に上記特定操作の受け付けが無くなった場合には、当該拡大表示を解除して元の上記画像を上記表示部に表示させるための制御を行うようにしてもよい。これにより、所定領域を拡大表示させた後に特定操作の受け付けが無くなった場合には、その拡大表示を解除して元の画像を表示部に表示させるという作用をもたらす。
【００１４】
また、この第１の側面において、上記撮像装置を、交換レンズを装着可能な撮像装置とし、上記交換レンズとしてマニュアルフォーカスレンズが装着されている場合には、上記マニュアルフォーカスモードが設定され、上記交換レンズとしてオートフォーカスレンズが装着されている場合には、上記オートフォーカスモードが設定されるようにしてもよい。これにより、交換レンズとしてマニュアルフォーカスレンズが装着されている場合には、マニュアルフォーカスモードが設定され、交換レンズとしてオートフォーカスレンズが装着されている場合には、オートフォーカスモードが設定されるという作用をもたらす。
【発明の効果】
【００１５】
本技術によれば、設定されている撮像モードに応じた操作を容易に行うことができるという優れた効果を奏し得る。
【図面の簡単な説明】
【００１６】
【図１】本技術の実施の形態における撮像システム１０の外観構成例を示す図である。
【図２】本技術の実施の形態における撮像システム１０の内部構成例を示すブロック図である。
【図３】本技術の実施の形態における撮像装置１００の機能構成例を示すブロック図である。
【図４】本技術の実施の形態における撮像システム１０の使用例を示す図である。
【図５】本技術の実施の形態における表示部１１５に表示される画像の表示遷移例を示す図である。
【図６】本技術の実施の形態における表示部１１５に表示される画像の表示遷移例を示す図である。
【図７】本技術の実施の形態における撮像装置１００による撮像制御処理の処理手順の一例を示すフローチャートである。
【発明を実施するための形態】
【００１７】
以下、本技術を実施するための形態（以下、実施の形態と称する）について説明する。説明は以下の順序により行う。
１．実施の形態（撮像制御：特定操作（例えば、シャッターボタンの半押し操作）が行われた際における処理を撮像モードに応じて変更する例）
【００１８】
＜１．実施の形態＞
［撮像システムの外観構成例］
図１は、本技術の実施の形態における撮像システム１０の外観構成例を示す図である。
【００１９】
撮像システム１０は、撮像装置１００および交換レンズ２００を備える。また、撮像システム１０は、例えば、レンズを交換することが可能なデジタルスチルカメラ（例えば、デジタル一眼カメラ）により実現される。
【００２０】
また、撮像装置１００は、例えば、被写体を撮像して画像データ（撮像画像）を生成し、生成された画像データを画像コンテンツ（静止画コンテンツまたは動画コンテンツ）として記録する撮像装置である。また、撮像装置１００は、例えば、レンズマウントの機構（図示せず）を備えることにより、交換レンズ２００を装着したり取り外したりすることができる。これにより、ユーザは、例えば、撮影状況や目的等に応じて、撮像装置１００に対して複数の交換レンズを交換するようにして取り付けることができる。
【００２１】
図１（ａ）は、撮像システム１０の外観を示す正面図であり、図１（ｂ）は、撮像システム１０の外観を示す背面図であり、図１（ｃ）は、撮像システム１０の外観を示す上面図である。
【００２２】
撮像装置１００は、撮像素子１１１と、表示部１１５と、シャッターボタン１２１と、モードダイヤル１２２と、上下左右操作ボタン１２３と、決定ボタン１２４と、キャンセルボタン１２５と、電源スイッチ１２６とを備える。また、交換レンズ２００は、ズームレンズ２１１と、フォーカスレンズ２２１と、絞り２３１とを備える。なお、ズームレンズ２１１、フォーカスレンズ２２１、絞り２３１は、交換レンズ２００に内蔵されているものであり、撮像素子１１１は、撮像装置１００に内蔵されているものであるため、これらを図１では点線で示す。
【００２３】
シャッターボタン１２１は、シャッター操作を行うための操作部材であり、ユーザにより全押しまたは半押し操作が行われる。例えば、シャッターボタン１２１が半押しされた場合には、撮像モードに応じた処理（オートフォーカス処理または拡大表示処理）が行われる。また、シャッターボタン１２１が全押しされた場合には、この全押しの際に撮像されていた画像データが記録デバイス１１６（図２に示す）に記録される。このように、シャッターボタン１２１は、２段階の押下操作が可能な操作部材である。
【００２４】
モードダイヤル１２２は、各モードを設定するためのダイヤルである。例えば、撮像モード、再生モード（記録デバイス１１６（図２に示す）に記録されている画像を表示させるためのモード）等がモードダイヤル１２２の操作により設定される。
【００２５】
上下左右操作ボタン１２３は、表示部１１５に表示されるボタンや画像等の項目を選択する場合に用いられる操作ボタンであり、押下された部分に応じて現在選択されている項目が上下左右に移動する。
【００２６】
決定ボタン１２４は、表示部１１５に表示されている各項目の選択状態を確定する場合に用いられるボタンである。キャンセルボタン１２５は、表示部１１５に表示されている各項目の選択状態が確定されている場合に、この確定を解除するために用いられるボタンである。
【００２７】
電源スイッチ１２６は、撮像装置１００の電源のＯＮ／ＯＦＦを切り替えるスイッチである。
【００２８】
［撮像システムの内部構成例］
図２は、本技術の実施の形態における撮像システム１０の内部構成例を示すブロック図である。
【００２９】
なお、図２では、オートフォーカスレンズ（オートフォーカス制御を行うことが可能な交換レンズ）を交換レンズ２００として示す。ただし、マニュアルフォーカスレンズ（マニュアルフォーカスを行うための交換レンズ）については、オートフォーカス制御を行うための各構成等が省略される点等が異なるが、これ以外は略同様であるため、ここでの説明を省略する。
【００３０】
［交換レンズの内部構成例］
交換レンズ２００は、レンズマウントの機構（図示せず）を介して撮像装置１００に取り付けられる交換レンズユニットである。交換レンズ２００は、ズームレンズ２１１と、ズーム位置検出部２１２と、フォーカスレンズ２２１と、フォーカスレンズ駆動モータ２２２と、絞り２３１と、絞り駆動モータ２３２と、モータドライバ２４０と、レンズ制御部２５０とを備える。また、交換レンズ２００は、ＲＯＭ（Read Only Memory）２６０と、ＲＡＭ（Random Access Memory）２７０と、Ｉ／Ｆ（インターフェース）２８０とを備える。なお、ズームレンズ２１１、フォーカスレンズ２２１および絞り２３１は、図１に示す同一名称の各部に対応する。
【００３１】
ズームレンズ２１１は、電動または手動の何れかの駆動により光軸方向に移動して焦点距離を調整するレンズである。すなわち、ズームレンズ２１１は、撮像画像に含まれる被写体を拡大または縮小させるため、被写体に対して前後に駆動するレンズである。また、ズームレンズ２１１により、ズーム機能が実現される。なお、本技術の実施の形態では、ユーザによる手動操作により、ズームレンズ２１１を駆動させる例を示す。
【００３２】
ズーム位置検出部２１２は、ユーザによるズーム操作により駆動されたズームレンズ２１１の位置を検出するものであり、その検出結果をレンズ制御部２５０に出力する。
【００３３】
フォーカスレンズ２２１は、フォーカスレンズ駆動モータ２２２の駆動により光軸方向に移動してフォーカスを調整するレンズである。すなわち、フォーカスレンズ２２１は、被写体に焦点を合わせる（合焦させる）ために使用されるレンズである。また、フォーカスレンズ２２１により、オートフォーカス機能が実現される。
【００３４】
フォーカスレンズ駆動モータ２２２は、モータドライバ２４０の制御に基づいて、フォーカスレンズ２２１を駆動するものである。
【００３５】
絞り２３１は、ズームレンズ２１１およびフォーカスレンズ２２１を通過する入射光の光量を調整するものであり、その調整後の光が撮像素子１１１に供給される。また、絞り２３１は、絞り駆動モータ２３２により駆動され、絞りの開度が調節される。
【００３６】
絞り駆動モータ２３２は、モータドライバ２４０の制御に基づいて、絞り２３１を駆動するものである。
【００３７】
このように、交換レンズ２００を構成するズームレンズ２１１およびフォーカスレンズ２２１は、被写体からの入射光を集光するレンズ群であり、これらのレンズ群により集光された光が絞り２３１を介して撮像素子１１１に入射される。
【００３８】
モータドライバ２４０は、レンズ制御部２５０の制御に基づいて、フォーカスレンズ駆動モータ２２２および絞り駆動モータ２３２を駆動するドライバである。
【００３９】
レンズ制御部２５０は、撮像装置１００との間で各種情報の通信処理を行い、この通信結果に基づいて、交換レンズ２００を構成する各部（フォーカスレンズ２２１、絞り２３１等）を制御するものである。すなわち、レンズ制御部２５０は、撮像装置１００の制御部１３０からの制御信号に基づいて、交換レンズ２００を構成する各部を制御する。レンズ制御部２５０は、例えば、ＣＰＵ（Central Processing Unit）により構成される。
【００４０】
ＲＯＭ２６０は、交換レンズ２００を構成する各部材に関する固有の情報や、レンズ制御部２５０に実行させるプログラム等が記憶されるメモリである。
【００４１】
ＲＡＭ２７０は、レンズ制御部２５０が演算処理を実行する際の作業領域として利用されるメモリである。
【００４２】
Ｉ／Ｆ２８０は、撮像装置１００との間で通信を行うためのインターフェースである。
【００４３】
［撮像装置の内部構成例］
撮像装置１００は、システムバス１０１と、撮像素子１１１と、アナログ信号処理部１１２と、Ａ／Ｄ（Analog/Digital）変換部１１３と、デジタル信号処理部１１４とを備える。また、撮像装置１００は、表示部１１５と、記録デバイス１１６と、垂直ドライバ１１７と、タイミングジェネレータ１１８と、操作部１２０と、制御部１３０とを備える。また、撮像装置１００は、メモリ（ＲＯＭ）１４０と、メモリ（ＲＡＭ）１５０と、メモリ（ＥＥＰＲＯＭ（Electrically Erasable and Programmable Read Only Memory））１６０とを備える。また、撮像装置１００は、検波部１７０と、Ｉ／Ｆ１８０を備える。
【００４４】
なお、操作部１２０は、図１に示すシャッターボタン１２１、モードダイヤル１２２、上下左右操作ボタン１２３、決定ボタン１２４、キャンセルボタン１２５および電源スイッチ１２６に対応する。また、撮像素子１１１および表示部１１５は、図１に示す同一名称の各部に対応する。
【００４５】
なお、デジタル信号処理部１１４、垂直ドライバ１１７、タイミングジェネレータ１１８、操作部１２０および検波部１７０は、システムバス１０１を介して、例えば、制御部１３０等と通信可能となるように接続されている。また、メモリ（ＲＯＭ）１４０、メモリ（ＲＡＭ）１５０およびメモリ（ＥＥＰＲＯＭ）１６０もシステムバス１０１を介して制御部１３０等と通信可能となるように接続されている。
【００４６】
撮像素子１１１は、ズームレンズ２１１、フォーカスレンズ２２１および絞り２３１を介して供給される光（入射光）を受光し、この入射光を電気信号に変換させる光電変換素子であり、変換された電気信号をアナログ信号処理部１１２に供給する。また、撮像素子１１１は、垂直ドライバ１１７により駆動される。なお、撮像素子１１１として、例えば、ＣＣＤ（Charge Coupled Device）センサやＣＭＯＳ（Complementary Metal Oxide Semiconductor）センサ等を用いることができる。
【００４７】
アナログ信号処理部１１２は、タイミングジェネレータ１１８により指示されるタイミングに従って、撮像素子１１１から供給される電気信号（アナログ信号）についてノイズ除去処理等のアナログ信号処理を施すものである。そして、アナログ信号処理部１１２は、アナログ信号処理が施されたアナログ信号をＡ／Ｄ変換部１１３に供給する。
【００４８】
Ａ／Ｄ変換部１１３は、タイミングジェネレータ１１８により指示されるタイミングに従って、アナログ信号処理部１１２から供給されたアナログ信号をデジタル信号に変換するものであり、変換されたデジタル信号をデジタル信号処理部１１４に供給する。
【００４９】
デジタル信号処理部１１４は、制御部１３０の制御に基づいて、Ａ／Ｄ変換部１１３から供給されるデジタル信号について、黒レベル補正、ホワイトバランス調節、γ補正等の画像処理を行うものである。そして、デジタル信号処理部１１４は、画像処理が施された画像データを、表示部１１５および記録デバイス１１６に供給する。
【００５０】
例えば、デジタル信号処理部１１４は、画像処理が施された画像データについて圧縮処理を施し、この圧縮処理が施された画像データ（圧縮画像データ）を記録デバイス１１６に供給する。なお、圧縮方式として、例えば、ＪＰＥＧ（Joint Photographic Experts Group）方式を採用することができる。また、圧縮処理が施されていないＲＡＷデータ形式の画像データを記録デバイス１１６に供給することも可能である。また、デジタル信号処理部１１４は、記録デバイス１１６に記録されている圧縮画像データについて伸張処理を施し、この伸張処理が施された画像データを表示部１１５に供給する。なお、デジタル信号処理部１１４は、例えば、ＤＳＰ（Digital Signal Processor）により実現することができる。
【００５１】
また、例えば、デジタル信号処理部１１４は、Ａ／Ｄ変換部１１３から供給されるデジタル信号に対応する画像に含まれる被写体を拡大させる拡大処理を行う。このように、デジタル信号処理部１１４が拡大処理を行う場合には、撮像範囲に含まれる画像について取出範囲を狭くする。すなわち、撮像範囲に含まれる画像の一部分（例えば、図４のｂに示すフォーカスエリア５００）を電子的な画像処理により拡大させることにより、撮像範囲に含まれる被写体を拡大させることができる。このように、デジタル信号処理部１１４は、表示部１１５に表示される画像（いわゆる、ライブビュー画像）に含まれる被写体の一部を拡大表示する機能（フォーカスエリア拡大機能）を実現する。これにより、マニュアルフォーカスモードにおいてフォーカス確認を容易に行うことができる。なお、これらの拡大表示例については、図５および図６に示す。
【００５２】
表示部１１５は、デジタル信号処理部１１４から供給される画像データを表示する表示装置である。表示部１１５は、例えば、デジタル信号処理部１１４により画像処理が施された画像データをライブビュー画像（スルー画像）として表示する。また、例えば、表示部１１５は、記録デバイス１１６に記録されている画像データを一覧画像として表示する。表示部１１５として、例えば、有機ＥＬ（Electro Luminescence）パネル、ＬＣＤ（Liquid Crystal Display）等の表示パネルを用いることができる。
【００５３】
記録デバイス１１６は、デジタル信号処理部１１４により画像処理が施された画像データを記録する記録媒体である。また、記録デバイス１１６は、記録されている画像データをデジタル信号処理部１１４に供給する。なお、記録デバイス１１６は、撮像装置１００に内蔵するようにしてもよく、撮像装置１００から着脱可能とするようにしてもよい。また、記録デバイス１１６として、半導体メモリ、光記録媒体、磁気ディスク、ＨＤＤ（Hard Disk Drive）等の種々のものを用いることができる。なお、光記録媒体として、例えば、記録可能なＤＶＤ（Digital Versatile Disc）、記録可能なＣＤ（Compact Disc）、ブルーレイディスク（Blu-ray Disc（登録商標））等を用いることができる。
【００５４】
垂直ドライバ１１７は、制御部１３０の制御に基づいて、撮像素子１１１を駆動する垂直ドライバである。
【００５５】
タイミングジェネレータ１１８は、制御部１３０から供給される基準クロックに基づいて、垂直ドライバ１１７、アナログ信号処理部１１２およびＡ／Ｄ変換部１１３のそれぞれにおける動作タイミングを指示するものである。この動作タイミングの指示は、例えば、制御部１３０から供給される基準クロックに基づいて生成されたタイミング信号を各部に出力することにより行われる。
【００５６】
操作部１２０は、各種操作を行うためのボタン、スイッチ等の操作部材を備え、ユーザからの操作入力を受け付ける操作部であり、受け付けられた操作入力の内容をシステムバス１０１を介して制御部１３０に出力する。なお、撮像装置１００の外面に配置されるボタン等の操作部材以外に、表示部１１５上にタッチパネルを設け、ユーザからの操作入力をタッチパネルにおいて受け付けるようにしてもよい。
【００５７】
メモリ（ＲＯＭ）１４０は、制御部１３０に実行させるプログラムや各種データを記憶する不揮発性メモリである。
【００５８】
メモリ（ＲＡＭ）１５０は、制御部１３０が動作する際に一時的に保持すべきデータや書き換え可能なデータを保持する揮発性メモリであり、例えば、制御部１３０が動作する際に作業用のメモリとして用いられる。
【００５９】
メモリ（ＥＥＰＲＯＭ）１６０は、撮像装置１００が電源オフの間もデータを保持するメモリであり、各種設定条件等が記録される。
【００６０】
Ｉ／Ｆ１８０は、撮像装置１００に装着される交換レンズ２００に備えられるＩ／Ｆ２８０と接続されることにより、交換レンズ２００との通信を実行するインターフェースである。
【００６１】
制御部１３０は、例えば、メモリ（ＲＯＭ）１４０に記憶されるプログラムを実行するＣＰＵ等から構成され、メモリ（ＲＯＭ）１４０に記憶されている各情報に基づいて、撮像装置１００の各部を制御するものである。また、制御部１３０は、交換レンズ２００との間で通信制御を行い、各種情報の送受信を行う。
【００６２】
制御部１３０は、例えば、露出、ホワイトバランス、フォーカス等を制御する。また、例えば、制御部１３０は、撮像動作時には、操作部１２０からのユーザの操作入力、デジタル信号処理部１１４からの画像情報に基づいて制御信号を生成する。そして、制御部１３０は、生成された制御信号をモータドライバ２４０、垂直ドライバ１１７およびタイミングジェネレータ１１８等に出力し、フォーカスレンズ２２１や絞り２３１等を動作させることにより、露出、ホワイトバランス、フォーカス等の制御を行う。また、制御部１３０は、各処理に用いられる情報の送信要求を交換レンズ２００に行う。
【００６３】
また、制御部１３０は、デジタル信号処理部１１４により画像処理が施された画像データを記録する場合には、操作部１２０からのユーザの操作入力（例えば、シャッターボタン１２１の全押し操作）に基づいて、デジタル信号処理部１１４に制御信号を出力する。そして、デジタル信号処理部１１４により圧縮処理が施された画像データを静止画像ファイルとして記録デバイス１１６に記録させる。また、制御部１３０は、記録デバイス１１６に記録されている静止画像ファイルを表示する場合には、操作部１２０からのユーザの操作入力に基づいて、デジタル信号処理部１１４に制御信号を出力する。そして、記録デバイス１１６に記録されている静止画像ファイルに対応する画像を表示部１１５に表示させる。
【００６４】
検波部１７０は、デジタル信号処理部１１４から出力された画像信号に基づいてコントラスト成分を抽出する検波を行い、コントラスト方式によるオートフォーカス制御を行うための評価値を生成するものである。
【００６５】
また、制御部１３０は、オートフォーカスモードにおいて、検波部１７０により生成された評価値に基づいて合焦状態となるようにしてフォーカスレンズ２２１を移動させるためのオートフォーカス制御を実行する。なお、検波部１７０は、例えば、デジタル信号処理部１１４が実行する１つの機能として構成するようにしてもよい。また、その機能の少なくとも一部を制御部１３０が実行するように構成してもよい。なお、本技術の実施の形態では、オートフォーカス制御としてコントラストＡＦ（Auto Focus）を用いる例を示すが、位相差ＡＦ（位相差検出方式によるＡＦ）を用いるようにしてもよい。
【００６６】
また、制御部１３０は、操作部１２０からのユーザの操作入力（例えば、モードダイヤル１２２の操作）に基づいて、撮像モード（オートフォーカスモード、マニュアルフォーカスモード）を設定する。また、制御部１３０は、Ｉ／Ｆ１８０を介した交換レンズ２００との通信により、撮像モード（オートフォーカスモード、マニュアルフォーカスモード）を自動で設定するようにしてもよい。また、交換レンズ２００の装着部分にスイッチ（図示せず）等を設けておき、このスイッチのオン／オフにより、撮像モード（オートフォーカスモード、マニュアルフォーカスモード）を自動で設定するようにしてもよい。
【００６７】
［撮像装置の機能構成例］
図３は、本技術の実施の形態における撮像装置１００の機能構成例を示すブロック図である。
【００６８】
撮像装置１００は、撮像部３１０と、表示制御部３２０と、表示部３３０と、記録制御部３４０と、記録媒体３５０と、制御部３６０と、操作受付部３７０と、交換レンズ検出部３８０とを備える。
【００６９】
撮像部３１０は、被写体を撮像して画像（画像データ）を生成するものであり、生成された画像を表示制御部３２０および記録制御部３４０に出力する。撮像部３１０は、例えば、図２に示す撮像素子１１１、アナログ信号処理部１１２およびＡ／Ｄ（Analog/Digital）変換部１１３に対応する。
【００７０】
表示制御部３２０は、制御部３６０の制御に基づいて、撮像部３１０により生成された画像を表示部３３０に表示させるものである。表示制御部３２０は、例えば、図２に示すデジタル信号処理部１１４に対応する。
【００７１】
表示部３３０は、表示制御部３２０の制御に基づいて、撮像部３１０により生成された画像を表示するものである。表示部３３０は、例えば、図２に示す表示部１１５に対応する。
【００７２】
記録制御部３４０は、制御部３６０の制御に基づいて、撮像部３１０により生成された画像を記録媒体３５０に記録させるものである。記録制御部３４０は、例えば、図２に示すデジタル信号処理部１１４に対応する。
【００７３】
記録媒体３５０は、記録制御部３４０の制御に基づいて、撮像部３１０により生成された画像を記録するものである。記録媒体３５０は、例えば、図２に示す記録デバイス１１６に対応する。
【００７４】
制御部３６０は、例えば、ユーザ操作または装着される交換レンズ２００の種類に基づいて、マニュアルフォーカスモードおよびオートフォーカスモードの何れかを、撮像モードとして設定する。例えば、制御部３６０は、交換レンズ２００としてマニュアルフォーカスレンズが装着されている場合にはマニュアルフォーカスモードを設定し、交換レンズ２００としてオートフォーカスレンズが装着されている場合にはオートフォーカスモードを設定する。これらの各レンズの装着については、例えば、交換レンズ検出部３８０による検出結果に基づいて自動で判断することが可能である。
【００７５】
また、制御部３６０は、例えば、マニュアルフォーカスモードにおいて特定操作が受け付けられた場合には、表示部３３０に表示されている画像における所定領域（例えば、図４のｂに示すフォーカスエリア５００）を拡大表示させるための制御を行う。一方、制御部３６０は、オートフォーカスモードにおいてその特定操作が受け付けられた場合には、交換レンズ２００においてオートフォーカス制御を実行させるための制御を行う。
【００７６】
また、制御部３６０は、例えば、その所定領域を拡大表示させた後に、その特定操作の受け付けが無くなった場合には、その拡大表示を解除して元の画像を表示部３３０に表示させるための制御を行う。
【００７７】
ここで、その特定操作は、同一の操作部材を用いて行われる。具体的には、その同一の操作部材は、シャッターボタン１２１であり、その特定操作は、シャッターボタン１２１の半押し操作である。なお、制御部３６０は、例えば、図２に示す制御部１３０に対応する。
【００７８】
操作受付部３７０は、ユーザによる操作入力（例えば、シャッターボタン１２１の半押し操作、全押し操作）を受け付けるものであり、受け付けられた操作入力に応じた制御信号を制御部３６０に出力する。操作受付部３７０は、例えば、図２に示す操作部１２０に対応する。
【００７９】
交換レンズ検出部３８０は、撮像装置１００に交換レンズ２００が装着された場合に、交換レンズ２００の種類を検出するものであり、検出結果を制御部３６０に出力する。交換レンズ検出部３８０は、例えば、図２に示すＩ／Ｆ１８０、制御部１３０に対応する。
【００８０】
［撮像装置の使用例］
図４は、本技術の実施の形態における撮像システム１０の使用例を示す図である。
【００８１】
図４のａには、撮像システム１０（撮像装置１００および交換レンズ２００）を用いた撮像動作が行われている状態において、撮影者４００および被写体４１０の関係をその側面から見た場合を簡略化して示す。
【００８２】
図４のｂには、図４のａに示す状態で撮像動作が行われている場合に、表示部１１５に表示される画像（いわゆる、ライブビュー画像）を簡略化して示す。
【００８３】
ここで、交換レンズ２００としてマニュアルフォーカスレンズを用いて撮影を行う場合について説明する。
【００８４】
図４のａに示すように、交換レンズ２００としてマニュアルフォーカスレンズを用いて撮影を行う場合を想定する。この場合には、撮影者４００は、右手４０１により撮像装置１００の本体を持ち、左手４０２により交換レンズ２００（マニュアルフォーカスレンズ）を握った状態でシャッターチャンスを待つことが多い。この待機状態では、主に、左手４０２は、フォーカス調整操作に用いられ、右手４０１は、撮像装置１００の保持と、シャッターボタン１２１の押下操作とに用いられることが多い。例えば、右手４０１の人差し指がシャッターボタン１２１上に乗せられた状態でシャッターチャンスを待つ待機状態となることが多い。このように、撮影の待機状態では、右手４０１の人差し指がシャッターボタン１２１上に乗せられた状態で待機することが多いため、シャッターボタン１２１を有効に利用することが重要である。
【００８５】
そこで、本技術の実施の形態では、シャッターボタン１２１を用いて、フォーカスが合っているか否かを容易に把握することができるようにする。
【００８６】
図４のａでは、撮影者４００が、花に乗っている蝶４１１を注目被写体としてフォーカスを合わせて撮影を行う場合を想定する。この場合には、図４のｂに示すように、ユーザ操作または自動でフォーカスを合わせるためのエリア（フォーカスエリア５００）に蝶４１１が入るように、撮影者４００が撮像装置１００を移動させる。
【００８７】
ここで、オートフォーカス撮影が可能なレンズ（オートフォーカスレンズ）が交換レンズ２００として撮像装置１００に装着されている場合を想定する。この場合には、図４のａに示す状態で、撮影者４００が、右手４０１でシャッターボタン１２１の半押し操作を行った場合には、オートフォーカス制御が行われる。
【００８８】
これに対して、マニュアル撮影を行うためのレンズ（マニュアルレンズ）が交換レンズ２００として撮像装置１００に装着されている場合を想定する。この場合には、図４のａに示す状態で、撮影者４００が、右手４０１でシャッターボタン１２１の半押し操作を行った場合には、オートフォーカス制御が行われない。ただし、フォーカスエリア５００内に表示されている画像を拡大表示させる。この拡大表示例を図５および図６に示す。
【００８９】
［画像の表示遷移例］
図５および図６は、本技術の実施の形態における表示部１１５に表示される画像の表示遷移例を示す図である。
【００９０】
図５には、フォーカスエリア５１０が、表示部１１５の表示面における中央に設定されている場合における画像（いわゆる、ライブビュー画像）の表示遷移例を示す。また、図６には、フォーカスを合わせるためのフォーカスエリア５２０が、表示部１１５の表示面における中央以外の位置に設定されている場合における画像（いわゆる、ライブビュー画像）の表示遷移例を示す。
【００９１】
ここで、フォーカスエリアの設定は、例えば、ユーザ操作により設定可能であるものとする。例えば、表示部１１５がタッチパネルで構成されている場合には、ユーザのタッチ操作（フォーカスエリアを設定する位置でのタッチ操作）により、ユーザが所望する位置にフォーカスエリアを設定することができる。また、フォーカスエリアの設定は、撮像装置１００が自動で行うようにしてもよい。例えば、ユーザによるフォーカスエリアの設定操作が行われていない場合には、図５のａに示すように、表示部１１５の表示面における中央にフォーカスエリア５１０が設定されるものとする。
【００９２】
図５のａおよび図６のａには、シャッターボタン１２１の押下操作（半押し操作、全押し操作）が行われていない場合における表示例を示す。例えば、図４のａに示す状態で撮影が行われている場合における画像（いわゆる、ライブビュー画像）の表示例を示す。この場合には、表示部１１５の表示面におけるフォーカスエリア５１０、５２０の位置が異なる以外は、図５のａおよび図６のａは共通する。
【００９３】
図５のｂおよび図６のｂには、シャッターボタン１２１の半押し操作が行われた場合における表示例を示す。例えば、図４のａに示す状態で撮影が行われている場合における画像（いわゆる、ライブビュー画像）の表示例を示す。この場合には、表示部１１５の表示面におけるフォーカスエリア５１０、５２０内に表示されていた画像が拡大して表示される。
【００９４】
これにより、撮影者４００は、フォーカスエリア５１０内の被写体の合焦の程度を容易に把握することができる。また、フォーカスエリア５１０内の被写体の拡大表示を、シャッターボタン１２１を用いて行うことができるため、他の操作部材を用いる場合と比較して操作がし易い。
【００９５】
［撮像装置の動作例］
図７は、本技術の実施の形態における撮像装置１００による撮像制御処理の処理手順の一例を示すフローチャートである。
【００９６】
最初に、制御部３６０は、撮像モードが設定されているか否かを判断し（ステップＳ９０１）、撮像モードが設定されていない場合には、監視を継続して行う。一方、撮像モードが設定されている場合には（ステップＳ９０１）、撮像部３１０は、被写体を撮像して画像データを生成する（ステップＳ９０２）。続いて、表示制御部３２０は、その生成された画像データに基づいて画像（いわゆる、ライブビュー画像）を表示部３３０に表示させる（ステップＳ９０３）。この場合に、マニュアルフォーカスモード設定時にシャッターボタン１２１の半押し操作が行われている間は、フォーカスエリアの拡大表示が継続して行われる。
【００９７】
続いて、制御部３６０は、シャッターボタン１２１の半押し操作が受け付けられたか否かを判断し（ステップＳ９０４）、シャッターボタン１２１の半押し操作が受け付けられていない場合には、ステップＳ９０８に進む。この場合に、直前にシャッターボタン１２１の半押し操作が行われていた場合には、その半押し操作による処理（マニュアルフォーカスモード設定時にはフォーカスエリアの拡大表示、オートフォーカスモード設定時にはオートフォーカス処理）が解除される。一方、シャッターボタン１２１の半押し操作が受け付けられた場合には（ステップＳ９０４）、制御部３６０は、マニュアルフォーカスモードが設定されているか否かを判断する（ステップＳ９０５）。
【００９８】
マニュアルフォーカスモードが設定されている場合には（ステップＳ９０５）、制御部３６０は、表示部３３０に表示されている画像におけるフォーカスエリア（所定領域）に含まれる画像を拡大して表示させるための制御を行う（ステップＳ９０６）。すなわち、表示制御部３２０は、撮像部３１０により生成された画像データにおけるフォーカスエリア（所定領域）に含まれる画像を拡大処理して表示部３３０に表示させる（ステップＳ９０６）。
【００９９】
また、マニュアルフォーカスモードが設定されていない場合（すなわち、オートフォーカスモードが設定されている場合）には（ステップＳ９０５）、オートフォーカス処理が実行される（ステップＳ９０７）。すなわち、制御部３６０は、表示部３３０に表示されている画像におけるフォーカスエリア（所定領域）に被写体にフォーカスを合わせるためのオートフォーカス処理を実行させるための制御を行う（ステップＳ９０７）。例えば、交換レンズ２００は、制御部３６０の制御に基づいて、そのオートフォーカス処理を実行する（ステップＳ９０７）。
【０１００】
続いて、制御部３６０は、シャッターボタン１２１の全押し操作が受け付けられたか否かを判断し（ステップＳ９０８）、シャッターボタン１２１の全押し操作が受け付けられていない場合には、ステップＳ９１０に進む。一方、シャッターボタン１２１の全押し操作が受け付けられた場合には（ステップＳ９０８）、制御部３６０は、撮像部３１０により生成された画像データを記録媒体３５０に記録させるための制御を行う（ステップＳ９０９）。すなわち、記録制御部３４０は、シャッターボタン１２１の全押し操作が受け付けられたタイミングで、撮像部３１０により生成された画像データを記録媒体３５０に記録させる（ステップＳ９０９）。
【０１０１】
続いて、制御部３６０は、撮像モードが解除されたか否かを判断し（ステップＳ９１０）、撮像モードが解除されていない場合には、ステップＳ９０２に戻る。一方、撮像モードが解除された場合には（ステップＳ９１０）、撮像制御処理の動作を終了する。
【０１０２】
なお、ステップＳ９０３は、特許請求の範囲に記載の表示手順の一例である。また、ステップＳ９０４乃至Ｓ９０７は、特許請求の範囲に記載の制御手順の一例である。
【０１０３】
この例では、マニュアルフォーカスモードにおいて、シャッターボタン１２１の半押し操作をやめた場合には、フォーカスエリアの拡大表示を解除する例を示した。ただし、シャッターボタン１２１の半押し操作をやめた場合でも、フォーカスエリアの拡大表示を継続して行うようにしてもよい。この場合には、何らかの操作（例えば、シャッターボタン１２１の全押し操作）により、フォーカスエリアの拡大表示を解除するようにする。
【０１０４】
ただし、シャッターボタン１２１の全押し操作後に、シャッターボタン１２１の半押し操作が継続して行われる場合には、フォーカスエリアの拡大表示を継続して行うようにしてもよい。
【０１０５】
このように、制御部３６０は、マニュアルフォーカスモードにおいてシャッターボタン１２１の全押し操作が受け付けられた場合には、所定領域を拡大表示させるようにしてもよい。この場合には、その全押し操作のタイミングで撮像部３１０により生成された画像を記録媒体３５０に記録させる。また、その画像の記録後に、シャッターボタン１２１の半押し操作が受け付けられている間、その拡大表示を継続して行うようにしてもよい。
【０１０６】
また、本技術の実施の形態では、フォーカスエリアの拡大表示を行うための操作として、シャッターボタン１２１の半押し操作を用いる例を示した。ただし、フォーカスエリアの拡大表示を行うための操作として、シャッターボタン１２１の全押し操作を用いるようにしてもよい。この場合には、例えば、最初のシャッターボタン１２１の全押し操作（１回目の操作）をフォーカスエリアの拡大表示のための操作とし、次のシャッターボタン１２１の全押し操作（２回目の操作）を画像データの記録処理のための操作として用いることができる。
【０１０７】
このように、制御部３６０は、マニュアルフォーカスモードにおいてシャッターボタン１２１の全押し操作が受け付けられた場合には、所定領域を拡大表示させるようにしてもよい。この場合に、その拡大表示後にシャッターボタン１２１の全押し操作が再度受け付けられた場合には、その全押し操作のタイミングで撮像部３１０により生成された画像を記録媒体３５０に記録させる。
【０１０８】
また、マニュアルフォーカスモードにおいてフォーカスレンズの操作が行われている場合には、ユーザがフォーカス調整を行っていることが多いと想定される。そこで、マニュアルフォーカスモードにおいて、所定領域の拡大表示後にフォーカスレンズの操作が継続して行われている場合には、所定領域の拡大表示の解除時間を延長させるようにしてもよい。例えば、シャッターボタン１２１の半押し操作が無くなった場合でも、フォーカスレンズの操作が行われている間、所定領域の拡大表示を継続して行うようにしてもよい。
【０１０９】
また、この例では、説明を省略したが、マニュアルフォーカスモードにおいてシャッターボタン１２１の半押し操作が行われた場合に、フォーカスエリアの拡大表示とともに、ＡＥＬ（ＡＥ（Auto Exposure）  Ｌｏｃｋ）等を有効するようにしてもよい。
【０１１０】
ここで、一般に、オートフォーカスモード設定時におけるシャッターボタンの半押し操作は、オートフォーカス処理を起動させる操作として用いられる。一方、マニュアルフォーカスモード設定時におけるシャッターボタンの半押し操作は、ＡＥＬ等を有効するための操作として用いられる。ただし、ＡＥＬは、主要な機能ではないため、マニュアルフォーカスモード設定時におけるシャッターボタンの半押し操作をさらに有効に使用することが重要である。
【０１１１】
そこで、本技術の実施の形態では、マニュアルフォーカスモードにおいて有効に使用されていないシャッターボタンの半押し操作を、フォーカスエリアの拡大表示のために用いることにより、シャッターボタンの半押し操作を有効利用することができる。例えば、近年では、ミラーレスカメラが普及しつつあり、旧式のマニュアルフォーカスレンズ（フィルムカメラのマニュアルフォーカスレンズ）の利用が広がっている。このように、旧式のマニュアルフォーカスレンズを用いる場合についてもシャッターボタンの半押し操作を有効利用することができる。
【０１１２】
ここで、例えば、フォーカスエリアに含まれる画像を拡大表示させるための操作に専用ボタンを用いる場合を想定する。このように専用ボタンを用いて撮影を行う場合には、例えば、右手での専用ボタンの操作による拡大表示によりフォーカスエリアに含まれる被写体を確認した後に、右手でシャッターボタンの全押し操作を行う必要がある。この場合には、専用ボタンの操作と、シャッターボタンの全押し操作とを右手で行う必要があるため、不自然な撮影動作となることも想定される。
【０１１３】
これに対して、本技術の実施の形態では、シャッターボタンの半押し操作による拡大表示によりフォーカスエリアに含まれる被写体を確認した後に、シャッターボタンの全押し操作を行うことができる。すなわち、ユーザは、シャッターボタンのみを用いた自然な撮影動作により撮影を行うことができる。例えば、ユーザは、フレーミングを行った後に、シャッターボタンの半押し操作による拡大表示によりフォーカスエリアに含まれる被写体を確認することができ、この確認後に、シャッターボタンの全押し操作により撮影を行うことができる。
【０１１４】
このように、本技術の実施の形態では、一連の撮影シーケンスの過程で使う操作部材を兼用することができるため、機能性および操作性を向上させることができる。例えば、フォーカスエリアの拡大表示を頻繁に使用するユーザは、自然な撮影動作でリズムよくマニュアルフォーカスレンズのピント確認を行うことができる。また、通常の撮像動作におけるシャッターボタンの押下操作により、フォーカスエリアの拡大表示を行うことができるため、自然な撮影動作にフォーカスエリアの拡大表示を組み込むことができる。
【０１１５】
また、本技術の実施の形態では、同一の操作部材（例えば、シャッターボタン）の役割を、設定されている撮像モード（マニュアルフォーカスモード、オートフォーカスモード）に応じて切り替えることができる。すなわち、マニュアルフォーカスモードおよびオートフォーカスモードの何れにおいても、適切な操作を実現することができる。これにより、設定されている撮像モードに応じた操作を容易に行うことができる。
【０１１６】
なお、本技術の実施の形態では、撮像部を備える撮像装置１００を例にして説明したが、撮像部を着脱可能な情報処理装置（電子機器）に本技術の実施の形態を適用することができる。また、撮像機能付き携帯電話機や撮像機能付き携帯端末装置等の情報処理装置（電子機器）に本技術の実施の形態を適用することができる。
【０１１７】
なお、本技術の実施の形態では、レンズ交換式の撮像装置１００を例にして説明したが、レンズ一体型の撮像装置（電子機器）にも、本技術の実施の形態を適用するようにしてもよい。
【０１１８】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１１９】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０１２０】
なお、本技術は以下のような構成もとることができる。
（１）  撮像部により生成された画像を表示部に表示させる表示制御部と、
ユーザが手動でフォーカス合わせを行うマニュアルフォーカスモードにおいて特定操作が受け付けられた場合には前記画像における所定領域を拡大表示させ、フォーカス合わせを自動で行うオートフォーカスモードにおいて前記特定操作が受け付けられた場合にはオートフォーカス制御を実行させるための制御を行う制御部と
を具備する撮像装置。
（２）  前記特定操作は、同一の操作部材を用いて行われる前記（１）に記載の撮像装置。
（３）  前記操作部材は、シャッターボタンであり、
前記特定操作は、前記シャッターボタンの半押し操作である
前記（２）に記載の撮像装置。
（４）  前記制御部は、前記マニュアルフォーカスモードにおいて前記シャッターボタンの全押し操作が受け付けられた場合には前記所定領域を拡大表示させるとともに当該全押し操作のタイミングで前記撮像部により生成された画像を記録媒体に記録させ、当該画像の記録後に前記シャッターボタンの半押し操作が受け付けられている間、当該拡大表示を継続して行う前記（３）に記載の撮像装置。
（５）  前記操作部材は、シャッターボタンであり、
前記特定操作は、前記シャッターボタンの全押し操作であり、
前記制御部は、前記マニュアルフォーカスモードにおいて前記シャッターボタンの全押し操作が受け付けられた場合には前記所定領域を拡大表示させ、当該拡大表示後に前記シャッターボタンの全押し操作が再度受け付けられた場合には当該全押し操作のタイミングで前記撮像部により生成された画像を記録媒体に記録させるための制御を行う
前記（２）に記載の撮像装置。
（６）  前記制御部は、前記所定領域を拡大表示させた後に前記特定操作の受け付けが無くなった場合には、当該拡大表示を解除して元の前記画像を前記表示部に表示させるための制御を行う前記（１）に記載の撮像装置。
（７）  前記撮像装置は、交換レンズを装着可能な撮像装置であり、
前記交換レンズとしてマニュアルフォーカスレンズが装着されている場合には、前記マニュアルフォーカスモードが設定され、
前記交換レンズとしてオートフォーカスレンズが装着されている場合には、前記オートフォーカスモードが設定される
前記（１）から（６）のいずれかに記載の撮像装置。
（８）  撮像部により生成された画像を表示部に表示させる表示手順と、
ユーザが手動でフォーカス合わせを行うマニュアルフォーカスモードにおいて特定操作が受け付けられた場合には前記画像における所定領域を拡大表示させ、フォーカス合わせを自動で行うオートフォーカスモードにおいて前記特定操作が受け付けられた場合にはオートフォーカス制御を実行させる制御手順と
を具備する撮像装置の制御方法。
（９）  撮像部により生成された画像を表示部に表示させる表示手順と、
ユーザが手動でフォーカス合わせを行うマニュアルフォーカスモードにおいて特定操作が受け付けられた場合には前記画像における所定領域を拡大表示させ、フォーカス合わせを自動で行うオートフォーカスモードにおいて前記特定操作が受け付けられた場合にはオートフォーカス制御を実行させる制御手順と
をコンピュータに実行させるプログラム。
【符号の説明】
【０１２１】
１０  撮像システム
１００  撮像装置
１０１  システムバス
１１１  撮像素子
１１２  アナログ信号処理部
１１３  Ａ／Ｄ変換部
１１４  デジタル信号処理部
１１５  表示部
１１６  記録デバイス
１１７  垂直ドライバ
１１８  タイミングジェネレータ
１２０  操作部
１２１  シャッターボタン
１２２  モードダイヤル
１２３  上下左右操作ボタン
１２４  決定ボタン
１２５  キャンセルボタン
１２６  電源スイッチ
１３０  制御部
１４０  メモリ（ＲＯＭ）
１５０  メモリ（ＲＡＭ）
１６０  メモリ（ＥＥＰＲＯＭ）
１７０  検波部
１８０  Ｉ／Ｆ
２００  交換レンズ
２１１  ズームレンズ
２１２  ズーム位置検出部
２２１  フォーカスレンズ
２２２  フォーカスレンズ駆動モータ
２３１  絞り
２３２  絞り駆動モータ
２４０  モータドライバ
２５０  レンズ制御部
３１０  撮像部
３２０  表示制御部
３３０  表示部
３４０  記録制御部
３５０  記録媒体
３６０  制御部
３７０  操作受付部
３８０  交換レンズ検出部
【図１】
2013247541.tif 000003
【図２】
2013247541.tif 000004
【図３】
2013247541.tif 000005
【図４】
2013247541.tif 000006
【図５】
2013247541.tif 000007
【図６】
2013247541.tif 000008
【図７】
2013247541.tif 000009